(57)【特許請求の範囲】
【請求項１】
電池を収容したケースに、電動工具または充電器の取付部にスライドさせた状態で上記取付部の両側に係止可能な１対のフックと、上記フックと連動する係止解除用操作部とを備えた電池パックにおいて、
上記１対のフックを互いに開き方向に移動して上記取付部に係止する方向に弾性体により付勢し、かつ、上記１対のフックの先端の係止顎は、上記電池パックを上記取付部にスライドさせるための溝に位置し、
上記操作部を、上記ケースのスライド方向の後端部の両側から片手で把持できる範囲内で、上記ケースの両側部に配置し、
上記操作部を両側から操作することで、スライド方向に対して傾動可能な上記フックが内側に移動して上記弾性体による付勢に抗して上記フックと上記取付部との係止を解除させることを特徴とする電池パック。
【発明の詳細な説明】
【技術分野】
【０００１】
本発明は、電動工具等の電源として電動工具や充電器等の対象機器に着脱自在に設けられる電池パックに関する。
【背景技術】
【０００２】
一般に、この種の電池パックは、電動工具のグリップ部や充電器に着脱可能となっており、装着により電池パックのプラス、マイナスの端子が、上記電動工具や充電器等の対象機器に設けられた端子と接触するように構成されている。
【０００３】
ところで、従来の電池パックの取り付け構造として、特許文献１に示されるように、電池パックの後部にフックを設け、このフックと電動工具の受け部に係脱作動する係止手段とが連動するようにしたものが知られている。装着するときは、電池パックを対象機器の所定位置に向けて前方にスライドさせて押し込むことによって係止手段が対象機器の受け部に係止することによって行なう。逆に、電池パックを取り出すときは、後面のフックに指を掛け下方に押し下げて係止手段の係止状態を解除させた後、後方に引き出すことにより取り出しができるようになっている。
【０００４】
そのほか、特許文献２に示されるように、同じようにスライドさせて係脱する方式であるが、電池パックの両側に１対の操作部を配置し、これらの操作部を片手の親指と人差し指とで下から挟み付けるようにして押圧することによって電池パックと電動工具等の対象機器との係止を解除させて引き出すことにより取り出しができるようにしたものが知られている。
【先行技術文献】
【特許文献】
【０００５】
【特許文献１】特開２００１−２２９８９５公報
【特許文献２】特開２００４−３９６３８公報
【発明の概要】
【発明が解決しようとする課題】
【０００６】
しかしながら、特許文献１に示されるものは、電池パックを取り出すときは、フックの係止を解除させるために加える力の方向（下方）と電池パックを引き出す方向（後方）が異なるから、力の入れ加減が難しく、係止解除の直後も、係止解除のために下向きの力が維持されているから、対象機器から外れたときに電池パックを保持できずに落として破損するという問題があった。
【０００７】
特許文献２に示されるものは、電池パックの両側面には操作部の下方に窪みが上下方向に形成してあり、この窪みに親指と人差し指を下から入れ込んだ状態で引き出す構成であるから、親指と人差し指とを上下に向けた状態で水平に引き出すことになるので、力を効率よく使うことができない。また、引き出す力で指が窪みから外れて電池パックを落下させる危険があった。
【０００８】
本発明は上記問題点を解消し、取り扱いが容易で、しかも電動工具や充電器等の対象機器に対して確実に着脱することができる電池パックを提供することをその課題とする。
【課題を解決するための手段】
【０００９】
上記課題を解決するため、請求項1に係る発明は、電池を収容したケースに、電動工具または充電器の取付部にスライドさせた状態で上記取付部の両側に係止可能な１対のフックと、上記フックと連動する係止解除用操作部とを備えた電池パックにおいて、上記１対のフックを互いに開き方向に移動して上記取付部に係止する方向に弾性体により付勢し、かつ、上記１対のフックの先端の係止顎は、上記電池パックを上記取付部にスライドさせるための溝に位置し、上記操作部を、上記ケースのスライド方向の後端部の両側から片手で把持できる範囲内で、上記ケースの両側部に配置し、上記操作部を両側から操作することで、スライド方向に対して傾動可能な上記フックが内側に移動して上記弾性体による付勢に抗して上記フックと上記取付部との係止を解除させることを特徴とする。
【発明の効果】
【００１０】
請求項１に係る発明によれば、電池パックを対象機器に装着するときは、その取付部にスライドさせることによりフックが対象機器に係止して固定される。
【００１１】
これに対し、電池パックを取り外すときは、上記操作部を両側から操作して上記フックとの係止を解除させた後、スライドさせて引き出せばよい。
【００１２】
操作部は、上記ケースのスライド方向の後端部の両側から片手で把持できる範囲内で、上記ケースの両側部に配置されているので、電池パックを取り外すときは上記ケースを片手で強く挟みつけることになり、これは同時にケースを片手内に強く保持する行為である。このように、フックの係止解除と引き出しのための強い握り締めとが同じ行為であるから、無理なく確実に対象機器から電池パックを引き出すことができる。したがって、取り扱いが非常に容易である。
【図面の簡単な説明】
【００１３】
【図１】電動工具に電池パックを装着した状態を示す要部の斜視図である。
【図２】電池パックの斜視図である。
【図３】電池パックの分解斜視図である。
【図４】（ａ）（ｂ）（ｃ）はそれぞれ電池パックの側面図、Ｘ−Ｘ線上の断面図及    びＹ−Ｙ線上の断面図である。
【図５】電池パックの取付態様説明図である。
【発明を実施するための形態】
【００１４】
図１は電動工具に電池パックを装着した状態を示す要部の斜視図、図２は電池パックの斜視図、図３は電池パックの分解斜視図、図４（ａ）（ｂ）（ｃ）はそれぞれ電池パックの側面図、Ｘ−Ｘ線上の断面図及びＹ−Ｙ線上の断面図である。
【００１５】
上図において符号Ａは電池パックを、Ｂは電動工具のグリップの下部に設けられた取付部を示す。
【００１６】
電池パックＡは外ケース２と内ケース３とからなり、外ケース２は上端が開放した箱状のケース本体２ａと上記開放端を閉鎖する蓋部材２ｂとから構成され、内ケース３は４本の電池を収納保持できるように構成されている。内ケース３は電池収納後、外ケース２の内側に収納される。その上は蓋部材２ｂで閉じられ、ネジ４を外ケース２の下側から内部のネジ挿通筒５に挿通させ、蓋部材２ｂの裏側に形成されたネジ受け部６に螺合させることにより一体に結合している。なお、Ｆは電動工具を腰ベルトなどに引っ掛けるための係止部である。
【００１７】
ところで、上記蓋部材２ｂは、一回り内側に台部７を設けた下板部８と、その上部両側のガイドアーム部１０と、ガイドアーム部１０の後方に設けられた上板部１１と、上板部１１の後端から下方に形成された背板部１２とを備え、後部両側面には開口部１３が形成されている。
【００１８】
後部両側面の開口部１３の内側にはフック１４が配置されている。これら１対のフック１４の後端部には支点となる凸部１５が形成され、中間部の表側に操作部１６が、裏面にはバネ受け部１７が形成され、さらに前端の下方には断面が三角形の係止顎１８が形成されている。操作部１６は上記開口部１３に配置されている。フック１４の凸部１５は図４（ａ）（ｂ）（ｃ）に示されるように、蓋部材２ｂの背板部１２の両内側に形成された凹部１９に係合し、上記バネ受け部１７と上記上板部１１の下方に形成されたバネ受け２０との間に設けられた圧縮バネ２１によって外側に付勢され、さらに上記圧縮バネ２１のバネ力によりフック１４が上記上板部１１の下方で、上記ガイドアーム部１０の基部に形成された空間部２２（図４（ｃ）参照）の一側に係合している。フック１４の先端の係止顎１８は下板部８とガイドアーム部１０との間の溝２３に位置している（図２参照）。
【００１９】
上記構成により、１対のフック１４は互いに開き方向にバネ付勢され、操作部１６を内側に押し込むと、これに連動して上記凸部１５を中心に内側に回動し、フック１４全体は内側に移動可能となっている。
【００２０】
なお、電池パックＡは片手で掴むことができる程度の大きさに形成され、両側の操作部１６は背面の両側から片手で把持できる範囲内に形成されている。
【００２１】
また、電動工具の下端部には電池パックＡの取付部Ｂが形成されている。この取付部Ｂは図５に示されるように、ベース２４とその両側下方に形成された側片部２５とによって構成されている。側片部２５の下部内面には案内凸条２６が形成され、上記ベース２４と案内凸条２６との間には、電池パックＡのガイドアーム部１０がスライド可能なスライド溝２７が形成されている。また、案内凸条２６の高さは電池パックＡの下板部８とガイドアーム部１０と台部７の側壁との間の溝２３にスライド嵌合する程度に形成され、その内側面には図４（ｂ）に示されるように、電池パックＡのフック１４の係止顎１８に対応して係止溝２８が形成されている。
【００２２】
次に、上記電動工具の取付部Ｂに電池パックＡを取付けるときは、図５に示すように、電池パックＡのガイドアーム部１０を上記取付部Ｂのスライド溝２７に滑り込ませてスライドさせて押し込む。このとき同時に、取付部Ｂの案内凸条２６は上記溝２３に係合する。電池パックＡの押し込み端部で、電池パックＡのフック１４の係止顎１８が圧縮バネ２１により取付部Ｂの係止溝２８に飛び込んで係止され、電池パックＡは確実に装着される。
【００２３】
これに対し、上記取付部Ｂに装着された電池パックＡを取り出すときは、電池パックＡの後ろ側から片手で挟むように指を前方に伸ばし、親指と人指指で両側の操作部１６を両側から内側に挟みつけるように押圧する。これにより、電池パックＡのフック１４は凸部１５を中心に内側に回動し、係止顎１８は内側に移動するので、係止溝２８との係止は解除される。そこで、そのままの状態で電池パックＡを逆方向にスライドさせて電動工具の取付部Ｂから引き出せばよい。
【００２４】
上述のように、電池パックＡを電動工具に装着するときは、その取付部Ｂにスライドさせればよく、電池パックＡを取り外すときは、片手で上記操作部１６を両側から内側に挟みつけるように押圧し、そのままスライドさせて引き出せばよい。
【００２５】
操作部１６は、上記ケースのスライド方向の後端部の両側から片手で把持できる範囲内で、上記ケースの両側部に配置されているので、電池パックＡを取り外すときは上記ケースを片手で強く挟みつけることになり、これは同時にケースを片手内に強く保持する行為である。しかも、操作部１６を押し込むと、図４（ｂ）の上部のフック１４に示されるように、その分だけ開口部１３に指が係りやすい。このように、フック１４の係止解除と引き出しのための強い握り締めとが同じ行為であるから、無理なく確実に対象機器から電池パックＡを引き出すことができる。したがって、電池パックＡを電動工具に着脱するとき、手から外れて落下するという事故を有効に防止することができる。
【００２６】
また、フック１４に一体に操作部１６が形成されてスイングする構成なので、操作部を押してフック１４の係止顎１８が引っ込んだところをスライドさせて工具本体の取付部Ｂから引き抜くという一連の動作はスムーズに行なうことができるので操作性が向上する。
【００２７】
さらに、係止顎１８は、前端側部に小さく形成されたものとは異なり、フック１４の前端の下方に形成されているものであるから、十分に大きく形成することができ、係止強度が大きく、落下時に破損するのを良好に防止することができる。
【００２８】
なお、上述の実施形態では、操作部１６がフック１４に一体に形成されているが、フックと連動するものであれば必ずしも一体に形成されている必要はない。
【００２９】
また、上記実施形態は、弾性体として圧縮バネ２１を設けた場合の例であるが、弾性体はバネのほか、例えばゴム等であってもよい。
【００３０】
さらに、上記実施形態は、操作部を内側に押圧し、フックを解除させる構成であるが、例えば操作部にテーパ面を設け、スライドさせることでフックを解除させる構成であってもよい。
【産業上の利用可能性】
【００３１】
本発明は電動工具に限定されない。電池パックを充電するための充電器などを対象機器として適用することができる。
【符号の説明】
【００３２】
Ａ    電池パック
Ｂ    取付部
１４  フック
１６  操作部
２４  取付部
【図１】
0005387865.tif 000002
【図２】
0005387865.tif 000003
【図３】
0005387865.tif 000004
【図４】
0005387865.tif 000005
【図５】
0005387865.tif 000006